(57)【特許請求の範囲】
【請求項１】
燃料ガスと一次空気とが供給されるスロート部と、そのスロート部の下流端に連設されるリング状の混合部とからなるバーナ本体を有し、前記混合部にバーナヘッドを載置して前記混合部とバーナヘッドとの間に形成した炎口から前記燃料ガスと一次空気との混合気を噴出させ、
前記混合部における前記スロート部の連設側と反対側の底面に、前記スロート部から前記混合部内に流入して分岐した前記混合気を前記流入側の底面よりも高い合流位置に導いて合流させるガイド部を形成したコンロバーナであって、
前記合流位置を、前記混合部の前記流入側の底面から前記スロート部の連設部位の上限までの高さの１／２以上とすると共に、前記ガイド部を、前記スロート部の連設側と反対側へ行くに従って徐々に高くなる傾斜状の上げ底部とする一方、
前記バーナ本体を、前記混合部の上半分で外筒部分を形成する外口金と、その外口金の下端にカシメ結合されて前記混合部の下半分の外筒部分と前記スロート部の上半分とを形成する上本体部と、前記外口金の内側にあって前記混合部の内筒部分を形成する内口金と、その内口金の下端にカシメ結合されて前記混合部の下面と前記スロート部の下半分とを形成する下本体部とで形成して、前記内口金と前記下本体部との結合部分を水平としたことを特徴とするコンロバーナ。
【請求項２】
コンロ部に、請求項１に記載のコンロバーナを備えてなるガスコンロ。
【発明の詳細な説明】
【技術分野】
【０００１】
本発明は、テーブルコンロ等のガスコンロに用いられるコンロバーナと、そのコンロバーナを備えたガスコンロとに関する。
【背景技術】
【０００２】
コンロバーナは、燃料ガスと一次空気とが混合されるバーナ本体と、そのバーナ本体の上に載置されて炎口溝が形成されるバーナヘッドとからなる（例えば特許文献１参照）。バーナ本体は、燃料ガス及び一次空気が供給される筒状のスロート部と、そのスロート部の端部に連設されて上面が開口するリング状の混合部とから形成され、混合部にバーナヘッドを載置することで、混合部とバーナヘッドとの間で環状混合気室が形成されると共に、炎口溝と混合部との間で環状混合気室と連通する炎口が形成される。
よって、スロート部の基端に臨ませたガスノズルから燃料ガスを噴出させると、一次空気を吸引してスロート部を介して混合部に至り、燃料ガスと一次空気との混合気が二つに分岐して環状混合気室内を周回し、各炎口から噴出して燃焼することになる。
【先行技術文献】
【特許文献】
【０００３】
【特許文献１】特開２００４−３３３０１８号公報
【発明の概要】
【発明が解決しようとする課題】
【０００４】
上記コンロバーナにおいては、混合部内で二つに分岐した混合気が環状混合気室を周回すると、それぞれが半周分ずつ流れてスロート部の反対側でぶつかり合うため、混合気の流れが不安定になりやすい。特に、組み付け誤差等によってガスノズルとスロート部との間に芯ずれが生じると、混合気が均等に分岐せず、スロート部の反対側で周方向のどちらかに偏った位置で混合気がぶつかり合うことになる。これにより、混合比のバランスが崩れて炎が不安定になる等の燃焼不良を起こすおそれがあり、ひいては調理容器の底面に「焼け」や「すす」を生じさせてしまう。
【０００５】
そこで、本発明は、組み付け誤差等にかかわらずバーナ本体の混合部での混合気の流れをスムーズにして良好な燃焼性を確保できるコンロバーナ及びガスコンロを提供することを目的としたものである。
【課題を解決するための手段】
【０００６】
上記目的を達成するために、請求項１に記載の発明は、混合部におけるスロート部の連設側と反対側の底面に、スロート部から混合部内に流入して分岐した混合気を流入側の底面よりも高い合流位置に導いて合流させるガイド部を形成したコンロバーナであって、合流位置を、混合部の流入側の底面からスロート部の連設部位の上限までの高さの１／２以上とすると共に、ガイド部を、スロート部の連設側と反対側へ行くに従って徐々に高くなる傾斜状の上げ底部とする一方、バーナ本体を、混合部の上半分で外筒部分を形成する外口金と、その外口金の下端にカシメ結合されて混合部の下半分の外筒部分とスロート部の上半分とを形成する上本体部と、外口金の内側にあって混合部の内筒部分を形成する内口金と、その内口金の下端にカシメ結合されて混合部の下面とスロート部の下半分とを形成する下本体部とで形成して、内口金と下本体部との結合部分を水平としたことを特徴とするものである。
上記目的を達成するために、請求項２に記載の発明は、ガスコンロであって、コンロ部に、請求項１に記載のコンロバーナを備えることを特徴とするものである。
【発明の効果】
【０００７】
請求項１及び２に記載の発明によれば、ガイド部の採用により、組み付け誤差等にかかわらず、バーナ本体の混合部での炎口に至る混合気の流れをスムーズにして良好な燃焼性を確保することができ、「焼け」や「すす」の発生も抑制可能となる。
また、合流位置を好適な高さに設定して混合気を炎口へスムーズに導くことができる。
さらに、傾斜状の上げ底部によって混合気を無理なく合流位置へ導くことができる上、バーナ本体へ一体形成可能となってガイド部の付加が容易となる。
【図面の簡単な説明】
【０００８】
【図１】テーブルコンロの斜視図である。
【図２】コンロバーナのスロート部の軸線位置での縦断面図である。
【図３】バーナ本体の平面図である。
【図４】変更例のコンロバーナのスロート部の軸線位置での縦断面図である。
【図５】変更例のバーナ本体の平面図である。
【発明を実施するための形態】
【０００９】
以下、本発明の実施の形態を図面に基づいて説明する。
図１は、ガスコンロの一例であるテーブルコンロの斜視図で、テーブルコンロ１は、器体２の天板３に、コンロバーナ２０をそれぞれ有する左コンロ部４及び右コンロ部５を備える一方、両コンロ部４，５の間で器体２の内部に、グリル６を備えてなる。７は、天板３の後方に設けられたグリル６の排気口、８は、各コンロ部４，５に備えられた五徳、９は、五徳８上に載置される調理容器の底面に当接して温度を検出する温度センサである。
また、器体２の正面には、各コンロ部４，５及びグリル６の点火ボタン１０，１０・・及び火力調整レバー１１，１１・・がそれぞれ設けられている。
【００１０】
コンロバーナ２０は、図２に示すように、燃料ガスと一次空気とが混合されるバーナ本体２１と、そのバーナ本体２１上に載置されるバーナヘッド２２とからなるブンゼン式となっている。
まずバーナ本体２１は、基端に図示しないガスノズルを臨ませて燃料ガスの供給と共に一次空気が供給される直管状のスロート部２３と、そのスロート部２３が半径方向に連設されて上面が開口する有底リング状の混合部２４とから形成される。混合部２４の後述する内口金３３にバーナヘッド２２の円筒部２５を挿入し、炎口溝を形成したバーナヘッド２２の外周部２６を、混合部２４の上端に設けたテーパ状の受け部２７に載置することで、スロート部２３と連通する環状混合気室２８が形成されると共に、環状混合気室２８と連通する炎口２９，２９・・が形成される。
【００１１】
また、バーナ本体２１は、銅やアルミニウム等の金属板をプレス成型したもので、ここでは、混合部２４の上半分で受け部２７を含む外筒部分を形成する外口金３１と、外口金３１の下端にカシメ結合されて混合部２４の下半分の外筒部分とスロート部２３の上半分とを形成する上本体部３２と、外口金３１の内側にあって混合部２４の内筒部分を形成する内口金３３と、内口金３３の下端にカシメ結合されて混合部２４の下面とスロート部２３の下半分とを形成する下本体部３４との４つの部品に分割されている。このうち上本体部３２と下本体部３４とには、図３に示すように全周に亘って互いにカシメ結合されるフランジ部３５が形成されて、フランジ部３５に設けたネジ止め孔３６，３６が器体２内に設けた図示しない取付台にネジ止めされることで、バーナ本体２１は器体２内に固定されるようになっている。
【００１２】
そして、バーナ本体２１の下本体部３４において、内口金３３を挟んでスロート部２３と反対側に位置する混合部２４の底面部分には、ガイド部として、スロート部２３の軸線を挟む左右両側から当該反対側へ行くに従って徐々に高くなり、スロート部２３の軸線上となる左右の中心が最も高くなる平面視半円状の上げ底部３７が突設されている。この上げ底部３７は、その上面に内縁より外縁が高くなる傾斜を半径方向に付与した突条であって、外縁において混合部２４の底面から最も高くなる中央の高さ（図２の高さＢ）が、混合部２４の底面からスロート部２３の連設部位の上限までの高さ（図２の高さＡ）の１／２よりも大きくなるように下本体部３４に一体形成されている。
【００１３】
以上の如く構成されたテーブルコンロ１においては、点火ボタン１０を押し操作すると、コンロバーナ２０へのガス流路に設けたメイン弁等が開弁して燃料ガスがガスノズルからスロート部２３へ噴出される。すると、燃料ガスと共に一次空気が吸引されて、両者の混合気がスロート部２３を通って混合部２４へ至る。混合部２４に流入した混合気は、内口金３３に衝突することで２つに分岐し、そのまま内口金３３に沿って環状混合気室２８内を周回してスロート部２３の反対側へ移動することになるが、当該反対側では、上げ底部３７のガイドにより、図２に点線矢印で示すように混合気が上昇しながら周回し、上げ底部３７の中央で合流することになる。
【００１４】
この合流位置は、混合部２４の流入側の底面よりも高い位置であるため、たとえ組み付け誤差等によってガスノズルがスロート部２３に対して芯ずれを起こしていたとしても、合流した混合気が混合部２４の底部で乱れたり滞留したりすることなく、スムーズに上昇して炎口２９，２９・・から噴出する。よって、混合比のバランスが崩れて炎が不安定となることがなく、調理容器の底面に「焼け」や「すす」が生じにくくなる。
【００１５】
このように、上記形態のコンロバーナ２０及びテーブルコンロ１によれば、混合部２４におけるスロート部２３の連設側と反対側の底面に、スロート部２３から混合部２４内に流入して分岐した混合気を流入側の底面よりも高い合流位置に導いて合流させるガイド部（上げ底部３７）を形成したことで、組み付け誤差等にかかわらず、バーナ本体２１の混合部２４での炎口２９に至る混合気の流れをスムーズにして良好な燃焼性を確保することができる。
【００１６】
特にここでは、合流位置を、混合部２４の流入側の底面からスロート部２３の連設部位の上限までの高さの１／２以上としているので、合流位置を好適な高さに設定して混合気を炎口２９へスムーズに導くことができる。
また、ガイド部を、スロート部２３の連設側と反対側へ行くに従って徐々に高くなる傾斜状の上げ底部３７としたことで、混合気を無理なく合流位置へ導くことができる上、下本体部３４へ一体形成可能となってガイド部の付加が容易となる。
【００１７】
なお、上げ底部は混合部の底面の半周分に限定するものではなく、これよりも傾斜の始点を周方向で速くしたり遅くしたりすることで、より長いＣ字状や短い円弧状に変更することは可能である。また、上記形態では上げ底部の上面に、半径方向へ内縁が外縁よりも低くなる傾斜を付与しているが、上面を平坦に形成してもよい。勿論突条でなく底面全体を上げ底にすることも可能である。
さらに、プレス成型に限らず、上げ底部を形成した別体の部品を混合部の底面に取り付けることも可能である。
【００１８】
そして、ガイド部は上記形態のような上げ底部に限らず、図４，５に示すコンロバーナ２０のバーナ本体２１ａのように、内口金３３を挟んだスロート部２３の連設部位との対称位置で下本体部３４の底面にＬ字板を取り付けて、混合部２４の半径方向にガイド板３８を立設することでも形成できる。このガイド板３８も、図４に示すように混合部２４の底面から上端までの高さＢが、混合部２４の底面からスロート部２３の連設部位の上限までの高さＡの１／２よりも大きくなるように形成されている。
【００１９】
よって、このコンロバーナ２０においても、混合部２４内で分岐して環状混合気室２８内を周回する混合気は、それぞれガイド板３８に当接して図４に点線矢印で示すようにガイド板３８に沿って上昇し、ガイド板３８を超えた時点で合流する。この合流位置も混合部２４の流入側の底面より高いため、たとえ組み付け誤差等によってガスノズルがスロート部２３に対して芯ずれを起こしていたとしても、合流した混合気が混合部２４の底部で乱れたり滞留したりすることなく、スムーズに上昇して炎口２９から噴出することになる。
【００２０】
特にこの変更例では、ガイド部を、混合部２４の中心を挟んだスロート部２３の連設部位との対称位置で混合部２４の底面へその半径方向に立設されるガイド板３８としているので、既存のコンロバーナにもガイド部を簡単に付与して上記効果を享受することができる利点がある。
勿論ガイド板はＬ字板を用いる場合に限らず、平面状の板をそのまま混合部の底面に立設させても差し支えない。
【００２１】
その他、ガイド部の形状としては上記形態や変更例に限らず、例えば上げ底部でも左右両端のみを傾斜状にして中央付近の高さを変えずに平坦に形成したり、ガイド板をもっと肉厚にしたり三角形や台形のブロック状にしたり等、混合気を高い位置で合流させることが可能であれば適宜変更可能である。従って、ガイド部の形状によってはガイド部の高さは必ずしも混合部の底面からスロート部の連設部位の上限までの高さの１／２以上とする必要はない。
一方、バーナヘッドやバーナ本体の具体的な構造も上記形態に限らず、バーナ本体を４分割でなく上下２分割の部品で形成する等の設計変更が可能である。
また、ガスコンロもテーブルコンロに限らず、ビルトインコンロ等の他のタイプでも本発明は適用可能である。
【符号の説明】
【００２２】
１・・テーブルコンロ、２・・器体、３・・天板、４・・左コンロ部、５・・右コンロ部、２０・・コンロバーナ、２１，２１ａ・・バーナ本体、２２・・バーナヘッド、２３・・スロート部、２４・・混合部、２８・・環状混合気室、２９・・炎口、３１・・外口金、３２・・上本体部、３３・・内口金、３４・・下本体部、３７・・上げ底部、３８・・ガイド板。
【図１】
0005279788.tif 000002
【図２】
0005279788.tif 000003
【図３】
0005279788.tif 000004
【図４】
0005279788.tif 000005
【図５】
0005279788.tif 000006